(57)【要約】【課題】プレゼンテーションなどの実施に際して、プロジェクターを出し入れする作業を必要とせず、また、投影に際して、プロジェクターの置き台を用意するなどの必要がない携行可能な投影装置を提供する。【解決手段】投影装置は、底板部２０と底板部２０の外周縁に沿う周壁部２４と周壁部２４の外面に設けられる手提げ部とを有するケース体２と、ケース体２に開閉可能に取り付けられる蓋体と、ケース体２内の底板部２０上に上下変位が可能に取り付けられる支持基板５と、支持基板５上に支持されるプロジェクター４と、プロジェクター４の投射がケース体２の周壁部２４によって遮られない高さ位置に前記支持基板５を定位させるストッパー機構７とを備える。ストッパー機構７を解除したとき、プロジェクター４が蓋体の閉成を妨げない高さ位置まで支持基板５が下方へ変位する。【選択図】図５
2016038485.tif 000002
【特許請求の範囲】
【請求項１】
スクリーンに投射して映像を表示する投影装置であって、底板部と底板部の外周縁に沿う周壁部と周壁部の外面に設けられる手提げ部とを有するケース体と、前記ケース体に開閉可能に取り付けられる蓋体と、前記ケース体内の底板部上に上下変位が可能に取り付けられる支持基板と、前記支持基板上に支持されるプロジェクターと、前記プロジェクターの投射がケース体の周壁部によって遮られない高さ位置に前記支持基板を定位させるストッパー機構とを備え、ストッパー機構を解除したとき、プロジェクターが蓋体の閉成を妨げない高さ位置まで支持基板が下方へ変位するように構成されて成る投影装置。
【請求項２】
前記支持基板は、前上がりの傾動によって上方へ変位するものである請求項１に記載の投影装置。
【請求項３】
前記支持基板は、水平姿勢を保った状態での上方への変位と前上がりの傾動とによって上方へ変位するものである請求項１に記載の投影装置。
【請求項４】
請求項１〜３のいずれかに記載の投影装置であって、前記ケース体と蓋体との間に、蓋体を半開きの状態で定位させるストッパー機構がさらに設けられて成る投影装置。
【発明の詳細な説明】
【技術分野】
【０００１】
この発明は、スクリーンに投射して映像を表示する投影装置に関し、この発明は特に、プレゼンテーションを実施する会場などへ携行することが可能な投影装置に関する。
【背景技術】
【０００２】
近年、コンピューターを使って画像や文字をスクリーンに表示しながらプレゼンテーションを実施することが一般に行われている。設備が整った会場では、ノート型のパソコンとその周辺機器とを持参し、出先の会場で用意されたプロジェクターなどにパソコンを接続してプレゼンテーションを実施する。
【０００３】
ノート型のパソコンは嵩張らず、アタッシュケースや鞄などに入れて携行することが可能であり、出先の会場でパソコンを取り出してプロジェクターなどと接続する。パソコンと周辺機器と電源装置とを接続する作業の負担を軽減するために、パソコンとその周辺機器、その他の電気・電子機器、電源装置などを接続した状態で装填し得る携帯用ケースが提案されている（例えば、特許文献１参照）。
【０００４】
上記の携帯用ケースによってパソコンを携行すれば、出先の会場では、パソコンとプロジェクターとを接続するだけで、その他の接続作業に手間取ることがなく、プレゼンテーションを速やかに開始することが可能である。
【０００５】
また、パソコンとプロジェクターとの接続を迅速化するために、パソコンとプロジェクターとの両方を収納する収納ケースも提案されている（例えば、特許文献２参照）。パソコンもプロジェクターも自己が所有するものであるから、取扱いに習熟しており、両者の接続や調整に手数を要さず、また、両者を予め接続しておくことも可能である。
【先行技術文献】
【特許文献】
【０００６】
【特許文献１】特開平１０−１１２号公報
【特許文献２】特開２００７−２９６２７８号公報
【発明の概要】
【発明が解決しようとする課題】
【０００７】
しかし、特許文献２に記載の収納ケースの場合、パソコンとプロジェクターとを使用するに際し、両者を収納ケースより取り出す作業が必要である。また、プレゼンテーションの終了後は両者を収納ケースに仕舞う作業も必要である。そのうえ、収納ケースは組立式の置き台になっており、その置き台にプロジェクターなどを設置するが、置き台の組立や解体に手間がかかり、迅速性、簡易性に欠けるという問題がある。
【０００８】
この発明は、上記の問題に着目してなされたもので、プレゼンテーションなどの実施に際して、プロジェクターを出し入れする作業を必要とせず、また、投影に際して、プロジェクターの置き台を用意するなどの必要がない携行可能な投影装置を提供することを目的とする。
【課題を解決するための手段】
【０００９】
この発明による投影装置は、スクリーンに投射して映像を表示するものであって、底板部と底板部の外周縁に沿う周壁部と周壁部の外面に設けられる手提げ部とを有するケース体と、前記ケース体に開閉可能に取り付けられる蓋体と、前記ケース体内の底板部上に上下変位が可能に取り付けられる支持基板と、前記支持基板上に支持されるプロジェクターと、前記プロジェクターの投射がケース体の周壁部によって遮られない高さ位置に前記支持基板を定位させるストッパー機構とを備えたものであり、ストッパー機構を解除したとき、プロジェクターが蓋体の閉成を妨げない高さ位置まで支持基板が下方へ変位するように構成されている。
【００１０】
上記した構成の投影装置では、蓋体で閉じられたケース体を、手提げ部を持って例えばプレゼンテーションを行う会場まで携行する。プレゼンテーションの開始に当たり、蓋体を開いてケース体を開放し、プロジェクターの投射がケース体の周壁部によって遮られない高さ位置まで支持基板を上方へ変位させる。ストッパー機構によりその高さ位置に支持基板を定位させることで、プロジェクターによる投影が可能となる。プレゼンテーションの終了後は、ストッパー機構を解除し、プロジェクターが蓋体の閉成を妨げない高さ位置まで支持基板を下方へ変位させることで、蓋体を閉じることができる。
【００１１】
この発明の好ましい実施態様においては、前記支持基板は、前上がりの傾動によって上方へ変位するものである。この変位の態様は、周囲壁の高さが低いケース体に適している。
【００１２】
この実施態様によると、プロジェクターの投射がケース体の周壁部によって遮られない高さ位置まで、支持基板を前上がりに傾動させることによって上方へ変位させる。ストッパー機構によりその高さ位置に支持基板を定位させることで、プロジェクターによる投影が可能となる。一方、ストッパー機構を解除し、プロジェクターが蓋体の閉成を妨げない高さ位置まで支持基板を下方へ変位させることで、蓋体を閉じることができる。
【００１３】
この発明の他の好ましい実施態様においては、前記支持基板は、水平姿勢を保った状態での上方への変位と前上がりの傾動とによって上方へ変位するものである。この変位の態様は、周囲壁の高さが高いケース体に適している。
【００１４】
この実施態様によると、プロジェクターの投射がケース体の周壁部によって遮られない高さ位置まで、支持基板を水平姿勢を保った状態での上方への変位と前上がりの傾動とによって上方へ変位させる。ストッパー機構によりその高さ位置に支持基板を定位させることで、プロジェクターによる投影が可能となる。一方、ストッパー機構を解除し、プロジェクターが蓋体の閉成を妨げない高さ位置まで支持基板を下方へ変位させることで、蓋体を閉じることができる。
【００１５】
この発明による投影装置は、前記ケース体と蓋体との間に、蓋体を半開きの状態で定位させるストッパー機構がさらに設けられたものである。
【００１６】
この実施態様によると、蓋体を半開きの状態で定位させることができるので、蓋体の後方からの視界が制限されず、蓋体の後方からスクリーンを視認でき、プレゼンテーションがやり易くなる。
【発明の効果】
【００１７】
この発明によれば、プレゼンテーションなどの実施に際して、プロジェクターをケース体より出し入れする必要がなく、また、投影に際しては、プロジェクターの置き台を用意する必要もないので、迅速かつ容易にプレゼンテーションを開始しかつ終了することができる。
【図面の簡単な説明】
【００１８】
【図１】この発明の一実施例である投影装置の構成を示す斜視図である。
【図２】図１の実施例の閉じた状態を示す縦断面図である。
【図３】図１の実施例を支持基板を取り除いた状態で示す一部を省略した斜視図である。
【図４】ケース体内にプロジェクターを収納した状態を示す断面図である。
【図５】ケース体内でプロジェクターを上方へ変位させた状態を示す断面図である。
【図６】ストッパー機構に用いられる支え部材の構成と動作を示す正面図である。
【図７】図６（１）のＡ−Ａ線に沿う断面図である。
【図８】ストッパー機構の他の実施例の原理説明図である。
【図９】第２のストッパー機構の構成と動作を示す正面図である。
【発明を実施するための形態】
【００１９】
図１は、この発明の一実施例である携行可能な投影装置１の構成を示している。この投影装置１は、出先の会場などにおいて、スクリーンに投射して映像を表示するのに用いられるもので、蓋体３を備えたケース体２の内部に、図１および図２に示すように、プロジェクター４、電源装置４０、無線ＬＡＮ装置４１、ノート型のパソコン４２などが収納配備されている。この実施例のケース体２および蓋体３は金属製であるが、合成樹脂製、皮革製などであってもよい。
【００２０】
ケース体２は、底板部２０と、底板部２０の外周縁に沿う前壁部２１、後壁部２２、および両側壁部２３，２３とで構成されている。前壁部２１、後壁部２２、および両側壁部２３，２３は各コーナー部で連なって周壁部２４を構成している。前壁部２１の外面には手提げ部２５およびロック金具２６，２６が取り付けられている。手提げ部２５は投影装置１を携行するのに手持ちする部分である。ロック金具２６は蓋体３を閉成状態に保持するためのものである。蓋体３を閉じればアタッシュケースと同じ外観となり、手提げ部２５を持って投影装置１を携行することができる。
蓋体３は、ケース体２の後壁部２２にヒンジ機構３１により開閉可能に取り付けられている。ケース体２と蓋体３との間には、蓋体３を半開きの状態で定位させることが可能な第２のストッパー機構９（詳細は後述する）が設けられている。
【００２１】
ケース体２の内部には、図３〜図５に示すように、底板部２０上に支持基板５が取付金具６により上下変位が可能に取り付けられている。支持基板５は、ケース体２の開口面積とほぼ一致する矩形状のものであり、その上面にプロジェクター４、電源装置４０、および無線ＬＡＮ装置４１が支持されている。支持基板５の下方は、ノート型のパソコン４２を収容し得る空間となっている。図中、５０はプロジェクター４などの滑り止めであり、支持基板５の後端縁に突設されている。
【００２２】
プロジェクター４は光を投射してスクリーンに映像を映し出す機器である。無線ＬＡＮ装置４１はプレゼンテーションのための画像や文字のデータをパソコン４２より無線で受信してプロジェクター４に与える。電源装置４０はプロジェクター４および無線ＬＡＮ装置４１に電源を供給する。電源装置４０からは図示しない電源コードが引き出され、プラグをコンセントに差し込むことで電源供給が可能となる。ノート型のパソコン４２は無線ＬＡＮ機能を搭載している。パソコン４２のメモリにはプレゼンテーションのためのデータや画像が記憶されている。
【００２３】
前記取付金具６は、ケース体２の底板部２０の内面の両側部に互いに平行に取り付けられたＬ型枠材６０，６０と、支持基板５の下面の後端部の両側にそれぞれネジ固定されたＵ型枠材６１，６１とを備えている。各Ｕ型枠材６１をＬ型枠材６０に枢軸６２によって回動自由に支持することで、支持基板５は前上がりに傾動して上方へ変位することが可能となっている。
【００２４】
各Ｌ型枠材６０の長さ中央部には伸縮可能な支え部材７０の下端が回動自由に支持されている。各支え部材７０の上端は支持基板５の前端部の両側に金具７１ａにより回動自由に連結されている。左右の支え部材７０，７０はストッパー機構７を構成する。ストッパー機構７は、プロジェクター４の投射がケース体２の前壁部２１によって遮られない高さ位置に支持基板５を定位させるものである。
図５は、ストッパー機構７によりプロジェクター４の投射部４ａがケース体２の前壁部２１を超えた位置に位置決めされた状態を示している。ストッパー機構７を解除すると、図４に示すように、プロジェクター４が蓋体３の閉成を妨げない高さ位置まで支持基板５が下方へ変位してケース体２内に収まる。
【００２５】
図６（１）〜（４）は、上記したストッパー機構７に用いられる伸縮可能な支え部材７０の構成および動作を示している。
図示例の支え部材７０は、板状をなす第１のスライド片７１と、鞘状をなす第２のスライド片７２とから成り、図７に示すように、第１のスライド片７１が第２のスライド片７２の内溝７３に摺動自由に挿入されている。第１のスライド片７１の先端部には第２のスライド片７２に係脱するカム片７４が軸体７５により回動自由に取り付けられている。カム片７４は、矩形状の板状体であり、互いに平行な両側縁とＶ溝部７４ａを有する前後端縁とを備えている。
【００２６】
第２のスライド片７２には、前記カム片７４が縦向きの姿勢で摺動する摺動溝７６が長さ方向に開設されている。摺動溝７６の先端部は溝幅を拡張して形成されたカム作動溝７７になっている。このカム作動溝７７内に形成された第１、第２の凸状部７８，７９に対してカム片７４が所定の係脱動作を行う（図６（２）〜（４））。図中、７１ａ，７２ａは各スライド片７１，７２の端部を支持基板５およびＬ型枠材６０にネジ止めするための金具である。
【００２７】
図６（１）は、支え部材７０が収縮して最も短くなった状態を示している。このとき、第１のスライド片７１のほぼ全長が第２のスライド片７２の内溝７３内に入り込んでいる。カム片７４は摺動溝７６の端部に縦向きの姿勢で位置し、Ｖ溝部７４ａ，７４ａが摺動溝７６に沿う方向を向いている。
【００２８】
図６（２）は、支え部材７０が伸張して最も長くなった状態を示している。このとき、第１のスライド片７１の大部分が第２のスライド片７２の内溝７３から脱出している。カム片７４は、縦向きの姿勢で摺動溝７６より脱出したとき、前端縁が第１の凸状部７８に当たってカム作動溝７７内でわずかに傾き、Ｖ溝部７４ａに第１の凸状部７８が噛み込んでいる。
【００２９】
図６（３）は、第１のスライド片７１が第２のスライド片７２の内溝７３に進入するのが阻止されたロック状態を示している。カム片７４が図６（２）のわずかに傾いた姿勢で、第１のスライド片７１が第２のスライド片７２の内溝７３内へ進入しようとすると、カム片７４のＶ溝部７４ａが第２の凸状部７９と対向しているので、カム片７４の後端縁が第２の凸状部７９に当たってさらに傾き、Ｖ溝部７４ａに第２の凸状部７９が噛み込む。これにより、第１のスライド片７１の第２のスライド片７２の内溝７３内への進入が阻止される。
【００３０】
図６（４）は、第１のスライド片７１が図６（３）に示す状態から引き出された状態を示している。カム片７４は、図６（３）に示す状態では大きく傾いた姿勢であるので、その側縁が第１の凸状部７８に当たると、さらに大きく傾く。このとき、カム片７４の側縁は第２の凸状部７９と対向しており、第１のスライド片７１を第２のスライド片７２の内溝７３へ進入させると、カム片７４は側縁が第２の凸状部７９に当たって縦向きの姿勢になることで、ロック状態が解除され、第１のスライド片７１の第２のスライド片７２の内溝７３への進入が許容される。
【００３１】
この実施例では、上記した構成の支え部材７０を左右２個用いてストッパー機構７を構成するものであり、プロジェクター４の投射部４ａがケース体２の前壁部２１を超える位置まで支持基板５の前端部を持ち上げて支持基板５を前上がりに傾動させたとき、支え部材７０は図６（２）に示す状態となり、支持基板５をそれ以上、上方へ変位させることができない。
つぎに、支持基板５を下方へわずかに変位させると、支え部材７０は図６（３）に示すロック状態となり、支持基板５はその傾いた状態で定位する。
つぎに、支持基板５を上方へ前上がりに傾動させたとき、支え部材７０は図６（４）に示すロック解除の状態となり、支持基板５を元の水平な状態に戻すことができる。
【００３２】
なお、ストッパー機構７に用いられる上記の支え部材７０は、プロジェター４の投射がケース体２の周壁部２４によって遮られない高さ位置に支持基板５を定位させることができるものであり、かつプロジェクター４が蓋体３の閉成を妨げない高さ位置まで支持基板５を下方へ変位させることができるものであれば、上記した構造ないしは機構のものに限定されるものではない。
【００３３】
また、上記の実施例は、支持基板５を前上がりに傾動させることによって上方へ変位させかつ所定の高さ位置で定位させる構成のものであるが、支持基板５を水平姿勢を保った状態で上方へ変位させて定位させる構成のものであってもよい。また、図８に示すように、支持基板５を水平姿勢を保った状態で上方へ変位させかつ前上がりに傾動させることによって上方へ変位させかつ所定の高さ位置に定位させる構成のものであってもよい。
【００３４】
図８において、６３は支持基板５の下面の両側部に取り付けられるＬ型枠材、６４はケース体２の底板部２０の内面の両側部に取り付けられるＬ型枠材である。各Ｌ型枠材６３，６４には摺動溝６５，６６がそれぞれ形成されている。６７，６８は中央で交叉して軸支されるリンクであり、一方のリンク６７は前記した伸縮可能な支え部材７０を一体に備えている。各リンク６７，６８の一端はＬ型枠材６４，６３にそれぞれ回動自由に支持され、他端は摺動溝６５，６６にそれぞれ摺動自由に係合させている。支持基板５はＬ型枠材６３，６４が互いに平行運動をなすことにより水平姿勢を保った状態で上方へ変位するとともに、支え部材７０が前記した伸縮動作を行うことにより前上がりに傾動して上方へ変位する（図中、一点鎖線で示す。）。
【００３５】
図１に戻って、ケース体２と蓋体３との間には、左右一対の支持部材９０，９０によって構成される第２のストッパー機構９が設けられている。各支持部材９０は、公知のもので、ケース体２の側壁部２３と蓋体３の側壁部３３との間に取り付けられている。
各支持部材９０は、図９に示すように、一対の板状をなす連結片９１，９２を互いに屈曲可能に連結して構成されており、連結部９３には図示しない間欠送り機構が組み込まれている。この間欠送り機構によって、ケース体２に取り付けられた第１の連結片９１に対し、蓋体３に取り付けられた第２の連結片９２が、４５度の角度毎に間欠送りされることで、図中、一点鎖線で示すように、蓋体３を半開きの複数の状態で定位させることができる。半開きの状態では、蓋体３の後方からの視界が制限されず、蓋体３の後方からスクリーンを視認でき、プレゼンテーションがやり易くなる。
【００３６】
上記した構成の投影装置１では、蓋体３で閉じられたケース体２を、手提げ部２５を持って例えばプレゼンテーションを行う会場まで携行する。
プレゼンテーションの開始に当たり、蓋体３を開いてケース体２を開放し、プロジェクター４の投射がケース体２の前壁部２１によって遮られない高さ位置まで、支持基板５を前上がりに傾動させることによって上方へ変位させる。ストッパー機構７によりその高さ位置に支持基板５を定位させることで、プロジェクター４による投影が可能となる。
プレゼンテーションの終了後は、ストッパー機構７を解除し、プロジェクター４が蓋体３の閉成を妨げない高さ位置まで支持基板５を下方へ変位させることで、蓋体３を閉じることができる。
【００３７】
図８に示す実施例では、プロジェクター４の投射がケース体２の前壁部２１によって遮られない高さ位置まで、支持基板５を水平姿勢を保った状態で上方へ変位させかつ前上がりに傾動させることによって上方へ変位させるものである。
【符号の説明】
【００３８】
１    投影装置
２    ケース体
３    蓋体
４    プロジェクター
５    支持基板
７    ストッパー機構
９    第２のストッパー機構
２１  前壁部
２４  周壁部
２５  手提げ部
【図１】
2016038485.tif 000003
【図２】
2016038485.tif 000004
【図３】
2016038485.tif 000005
【図４】
2016038485.tif 000006
【図５】
2016038485.tif 000007
【図６】
2016038485.tif 000008
【図７】
2016038485.tif 000009
【図８】
2016038485.tif 000010
【図９】
2016038485.tif 000011